(57)【要約】【課題】相関ピークの検出漏れによるシンボルタイミング同期の誤検出を削減し、検出精度の向上を可能にする同期検出装置および同期検出方法を提供。【解決手段】シンボルタイミング同期検出回路14は、相関演算回路30で受信した無線パケット信号26の相関値40を算出し、この相関値40と使用する閾値とをピーク検出回路32で比較し、閾値以上の相関値に応じて検出信号44をシンボル同期処理回路34に送り、最初のピーク検出以降を所定の予測期間とこれ以外の期間とで使用する一つの閾値を異ならせるようにピーク検出回路32の閾値を設定し、所定の予測期間以外では厳しい条件の閾値で最初のピークを検出し、この検出に応じて次のピーク検出タイミングを予測し、予測タイミングで相関ピークがないことで同期検出位置と判定し、同期検出信号を出力する。【選択図】図１
2005303691.tif 000002
【特許請求の範囲】
【請求項１】
供給される複素数で表現される複素ベースバンド信号と該複素ベースバンド信号の先頭に位置するあらかじめ記憶されたパターン信号との相関値を求める演算手段と、
該相関値と複数の閾値のうち、使用する一つの閾値と比較して、前記相関値が前記使用する一つの閾値より大きい相関値の検出に応じて相関値のピークを検出するピーク検出手段と、
該相関値のピーク検出に応じて次に相関値のピークが到来するタイミングを予測し、該予測したタイミングでの前記ピーク検出を監視して、前記パターン信号による同期タイミングを検出して、同期検出信号を出力する同期判定手段とを含み、
該同期判定手段は、最初の相関ピーク検出から所定の時間経過までの第１期間とこれ以外の第２期間で第１期間よりも厳しい条件の閾値とし、各期間で前記使用する一つの閾値を異なる値に設定することを特徴とする同期検出装置。
【請求項２】
請求項１に記載の装置において、前記同期判定手段は、第２期間の閾値を第１期間の閾値より大きい値に設定することを特徴とする同期検出装置。
【請求項３】
請求項１または２に記載の装置において、前記同期判定手段は、前記相関ピークの検出に応じてカウントをリセットし、該リセット以降カウントアップする計測手段と、
該計測手段からのカウント値が前記予測したタイミングで増加するか否かに応じて同期検出位置を判断して、前記同期検出信号を出力し、供給される前記相関ピークの回数に応じて第１および第２期間のいずれかを判断して、該判断結果に対応する閾値に設定するタイミング判定手段とを含むことを特徴とする同期検出装置。
【請求項４】
請求項１、２または３に記載の装置において、前記複数の閾値は、前記ピーク検出手段および前記同期判定手段のいずれかに設け、該同期判定手段は、前記閾値の配設に応じてそれぞれ、選択信号および供給信号のいずれかを前記ピーク検出手段に出力することを特徴とする同期検出装置。
【請求項５】
供給される複素数で表現される複素ベースバンド信号と該複素ベースバンド信号の先頭に位置するあらかじめ記憶されたパターン信号との相関値を求める第１の工程と、
第１の閾値を設定する第２の工程と、
前記相関値と第１の閾値とを比較して、前記得られた相関値における最初のピークを検出する第３の工程と、
最初のピーク検出にともない次の相関値のピークが周期的に到来するタイミングとして所定の時間経過位置を予測する第４の工程と、
最初のピーク検出に応じて第２の閾値を設定する第５の工程と、
前記ピーク検出に応じて時間経過を計測し、該時間経過の計測が前記所定の時間経過後も継続しているか否かに応じて同期検出を判断し、該計測の継続による判断で前記同期検出として同期検出信号を出力する第６の工程と、
前記所定の時間経過後、前記ピークの検出に応じて第２の閾値の設定を継続し、これ以外で第１の閾値に設定する第７の工程とを含むことを特徴とする同期検出方法。
【請求項６】
請求項５に記載の方法において、第１の閾値は、第２の閾値よりも大きいことを特徴とする同期検出方法。
【発明の詳細な説明】
【技術分野】
【０００１】
本発明は、同期検出装置および同期検出方法に関し、本発明の同期検出装置は、とくに、直交周波数分割多重（Orthogonal Frequency Division Multiplexing: OFDM）変調方式を用いる無線LAN（Local Area Network）等のバースト通信における復調装置に搭載するシンボルタイミング同期検出回路に関するものである。また、本発明の同期検出方法は、たとえばOFDM復調装置の復調で用いるシンボル同期の検出方法に関するものである。
【背景技術】
【０００２】
無線LANにおける通信端末装置は、信号をパケットに分割して送るパケットモードで信号の送受信をしている。パケットモードでは、パケットの先頭部にプリアンブルが設けられる。プリアンブルは、周波数同期およびシンボルタイミング同期用に用いられる。
【０００３】
さらにパケットモードについて説明する。無線LANにおける国際標準のIEEE（Institute of Electrical and Electronics Engineers）802.11aに規定されたOFDMのパケットは、プリアンブル信号、信号およびデータを含んでいる。この内、プリアンブルには、ショートシンボルを含むショートプリアンブルおよびロングシンボルを含むロングプリアンブルが備えられている。ショートプリアンブルには、特定パターンを形成する10個のショートシンボルが含まれ、ショートプリアンブルはOFDMにおける周波数同期、シンボルタイミング同期およびキャリア周波数同期等の確立に寄与する。ここで、周波数同期とは、送受信機が備える発振器の周波数誤差を補正することを意味している。また、シンボルタイミング同期は、OFDMシンボルタイミングを検出することで同期をとる。この同期は、OFDMバースト信号の復調処理にて用いられる。
【０００４】
このショートシンボルの後にロングシンボルが配置されている。ロングシンボルは、チャネル推定として、サブキャリア毎に伝播路で歪んだ位相および振幅の推定に用いる伝播路推定に用いる。
【０００５】
このようなフォーマットによるプリアンブルを基にシンボルタイミング同期を確立する一つの方法がある。この方法は、受信信号と既知の特定パターンとで複素相関演算を行い、得られた相関値と所定の閾値とを比較し、この比較から相関ピークを検出する。この相関ピーク検出は、ショートプリアンブルに含まれる10個のショートシンボルをそれぞれ検出することに相当する。シンボルタイミング同期は、ショートプリアンブルとロングプリアンブルとの境界位置を同期タイミングとして検出し、同期検出信号を得ることである。同期検出信号を得るため、この相関ピーク検出から所定の時間経過した後、さらに、この方法は、相関ピークが検出されるか否か判断している。相関ピークが検出されない場合、受信したパケットがロングプリアンブルに移ったと判断し、境界位置を確定させ、シンボルタイミング同期信号を出力する。シンボルタイミング同期は、このような手順で確立させている。ここでの所定の時間とは、たとえば一つのショートプリアンブルの時間を対応させている。
【特許文献１】特開2000−349736号公報
【特許文献２】特開2001−136149号公報
【非特許文献１】松江 英明、守倉 正博監修、「802.11高速無線LAN教科書」、IDGジャパン、2003年3月28日出版、p.180-183
【発明の開示】
【発明が解決しようとする課題】
【０００６】
ところで、この方法の判定は、期待したタイミングで相関ピーク検出できないことに基づいてシンボルタイミング同期を確立させていることから、これ以前のショートプリアンブルが有する繰返しパターンにおける最後のパターン、すなわち第10番目のショートシンボルで相関ピークを正しく検出することが望まれる。この相関ピークが正しく検出ができないと、正しいタイミングでシンボルタイミング同期は確立できない。この方法が前述した相関ピークの検出が算出した相関値と所定の閾値との比較から求めていることからもわかるように、正しい相関ピークの検出には、所定の閾値の設定が重要になる。
【０００７】
この重要性を考慮すると、所定の閾値は低く設定すれば、相関ピークは検出し易くなると考えられる。しかしながら、このように所定の閾値を低く設定すると、精度の高いシンボルタイミング同期が得られないことが知られている。この設定は、同期検出において伝播路の雑音やマルチパスの影響を受け易くしてしまう。とくに、後者のマルチパス伝播は、到来する遅延波の多重重畳により信号波形が歪んで検出を困難にする。これらの結果として、この設定は、正しくないタイミングで相関ピークを検出する確率を高くし、シンボルタイミング同期の精度を低下させてしまう。
【０００８】
特許文献１のOFDM復調装置は、ショートシンボルを検出し、この検出にともない検出窓を段階的に狭めて所定の閾値を越えなくなるタイミングを検出することによりタイミング検出精度を向上させている。
【０００９】
また、特許文献２のOFDM復調器は、とくに、タイミング判定回路３にレベル判定回路39, 40および41を具備し、レベル判定回路39および40にてそれぞれ入力信号がしきい値を超える場合にプリアンブル信号が周期1T前および2T前に存在したか否かを判定し、レベル判定回路41は現在の相関器からの出力信号が示す値が1T前の値に比べて一定割合以上低下しているか否かを検出する。条件判定回路43は、各レベル判定回路39, 40および41の判定がすべて真のときプリアンブル終了時間位置が検出されたと判定し、高確度のシンボルタイミング同期の検出を提供している。
【００１０】
これらの文献は、検出における時間の条件を吟味することによってタイミング検出精度を向上させていることを開示しているが、信号レベルに基づく判定には何等開示も示唆もされていない。
【００１１】
本発明はこのような従来技術の欠点を解消し、相関ピークの検出漏れによるシンボルタイミング同期の誤検出を削減し、検出精度の向上を可能にする同期検出装置および同期検出方法を提供することを目的とする。
【課題を解決するための手段】
【００１２】
本発明は上述の課題を解決するために、供給される複素数で表現される複素ベースバンド信号とこの複素ベースバンド信号の先頭に位置するあらかじめ記憶されたパターン信号との相関値を求める演算手段と、この相関値と複数の閾値のうち、使用する一つの閾値と比較して、相関値が前記使用する一つの閾値より大きい相関値の検出に応じて相関値のピークを検出するピーク検出手段と、この相関値のピーク検出に応じて次に相関値のピークが到来するタイミングを予測し、この予測したタイミングでのピーク検出を監視して、パターン信号による同期タイミングを検出して、同期検出信号を出力する同期判定手段とを含み、この同期判定手段は、最初の相関ピーク検出から所定の時間経過までの第１期間とこれ以外の第２期間で第１期間よりも厳しい条件の閾値とし、各期間で前記使用する一つの閾値を異なる値に設定することを特徴とする。
【００１３】
本発明の同期検出装置は、演算手段で受信した無線パケット信号に対する相関値を算出して、この算出された相関値と使用する閾値とをピーク検出手段で比較し、この閾値以上の相関値に応じて相関ピークの検出とし、検出信号を同期判定手段に送る。同期判定手段は、第１期間と第２期間の使用する一つの閾値を異ならせるようにピーク検出手段の閾値を設定し、第２期間での厳しい条件に対応して得られるピーク検出に応じて次のピーク検出タイミングを予測し、この予測されるタイミングまでの第１期間で設定した閾値と相関値とを比較して、検出される相関ピークを検出し易くピーク漏れをなくしながら、予測タイミングで相関ピークがないことで同期検出位置と判定し、同期検出信号を出力し、これによりピーク誤検出をなくすことができる。
【００１４】
また、本発明は上述の課題を解決するために、供給される複素数で表現される複素ベースバンド信号とこの複素ベースバンド信号の先頭に位置するあらかじめ記憶されたパターン信号との相関値を求める第１の工程と、第１の閾値を設定する第２の工程と、相関値と第１の閾値とを比較して、得られた相関値における最初のピークを検出する第３の工程と、最初のピーク検出にともない次の相関値のピークが周期的に到来するタイミングとして所定の時間経過位置を予測する第４の工程と、最初のピーク検出に応じて第２の閾値を設定する第５の工程と、ピーク検出に応じて時間経過を計測し、この時間経過の計測が所定の時間経過後も継続しているか否かに応じて同期検出を判断し、この計測の継続による判断で同期検出として同期検出信号を出力する第６の工程と、所定の時間経過後、ピークの検出に応じて第２の閾値の設定を継続し、これ以外で第１の閾値に設定する第７の工程とを含むことを特徴とする。
【００１５】
本発明の同期検出方法は、複素ベースバンド信号の相関値を求め、第１の閾値との比較で、最初のピークを検出し、この検出に応じて到来するタイミングを予測し、第２の閾値で同期検出し、計測の継続で同期検出として同期検出信号を出力し、これ以外で第１の閾値に設定することにより、最初のピークの検出後、相関ピークが検出し易くして、ピーク漏れをなくし、これによりピーク誤検出をなくすことができる。
【発明を実施するための最良の形態】
【００１６】
次に添付図面を参照して本発明による同期検出装置の一実施例を詳細に説明する。
【００１７】
本実施例は、本発明の同期検出装置をOFDM復調装置10に適用した場合である。本発明と直接関係のない部分について図示および説明を省略する。以下の説明で、信号はその現れる接続線の参照番号で指示する。
【００１８】
OFDM復調装置10は、図２に示すように、周波数誤差補正回路12、シンボルタイミング検出回路14、ガードインターバル除去回路16、高速フーリエ変換（FFT： Fast Fourier Transform）回路18、復調回路20およびデコード部22を含む。
【００１９】
OFDM復調装置10は、図２に図示していないが、非特許文献１に記載されているように、アンテナを介して無線パケット信号を受信し、受信したパケット信号を低雑音で増幅する。低雑音の増幅を受けた受信パケット信号は、第１のバンドパスフィルタ（Band Pass Filter: BPF）処理により所定の周波数帯域だけを通す。BPF処理を受けた受信パケット信号は、OFDM復調装置10が扱う無線周波数の発振信号と乗算される。この乗算処理された受信パケット信号には、さらに、第２のBPF処理が施され、帯域制限される。このように帯域制限された受信パケット信号は、自動利得制御を受けた後、搬送波にほぼ近いローカル信号を基に直交検波して、アナログの複素数表現されたベースバンド信号に変換される。アナログ複素ベースバンド信号は、A/D変換によりディジタル複素ベースバンド信号にされる。周波数誤差補正回路12には、入力信号24としてディジタル複素ベースバンド信号が供給される。
【００２０】
周波数誤差補正回路12は、この装置10の搬送周波数に対する誤差を補正する機能を有し、送信側と受信側の無線周波数の差を自動周波数制御により補正している。周波数誤差補正回路12は、この機能により搬送波周波数の同期を確立する。周波数誤差補正回路12は、検出した同期信号28により周波数の誤差を微調整している。周波数誤差補正回路12は、補正した受信パケット信号26をシンボルタイミング検出回路14およびガードインターバル除去回路16に出力する。
【００２１】
シンボルタイミング同期検出回路14は、受信パケット信号26とあらかじめ記憶されているシンボルのパターン信号とに基づいて復調処理におけるタイミング同期を検出する機能を有している。シンボルタイミング同期検出回路14は、検出したシンボルタイミング同期信号28を周波数誤差補正回路12およびガードインターバル除去回路16に供給している。
【００２２】
さらに説明すると、シンボルタイミング同期検出回路14は、図１に示すように、相関演算回路30、ピーク検出回路32およびシンボル同期処理回路34を含む。シンボル同期処理回路34は、カウンタ36およびタイミング生成回路38を備えている。相関演算回路30は、受信パケット信号26とあらかじめ記憶されているシンボル、すなわちショートプリアンブルのパターン信号との相関を演算する機能を有している。この機能は、相互相関型のマッチトフィルタ（matched filter）を用いて実現することができる。マッチトフィルタは、受信したOFDM信号と各タップ係数との乗算をサンプル毎に行い、乗算結果を加算する。相関演算回路30は、得られた相関値40をピーク検出回路32に出力する。
【００２３】
ピーク検出回路32は、複数の閾値を有し、相関値40と複数の閾値の内、選択した閾値との比較結果に基づいてピークを検出する機能を有している。ピーク検出回路32は、一つの閾値をシンボル同期処理回路38から供給される閾値選択信号42に応じて選択する。ピーク検出回路32は、ピークを検出する度にピーク検出信号44をカウンタ36に出力する。
【００２４】
なお、ピーク検出回路32における閾値の設定は、上述した設定に限定されるものでなく、ピーク検出回路32に一つのレジスタを設け、シンボル同期処理回路34に複数の閾値を持たせて、閾値選択信号42の代わりに閾値供給信号として、相関ピークの検出回数に応じて閾値SA, SBのいずれかを供給するようにしてもよい。
【００２５】
また、閾値SA, SBは、シミュレーションにより得られた最良の値を設定する。シミュレーションでは、様々な受信条件で閾値SA, SBを設定し、これらの設定した値の組合せの中から最良のシンボルタイミング同期をもたらす値が導き出される。OFDM復調装置は、このようにして決定された最良な値を搭載している。
【００２６】
シンボル同期処理回路34は、供給されるピーク検出信号44に応じてシンボルタイミング同期を検出する機能を有している。カウンタ36は、供給されるピーク検出信号44の入力に応じてリセット後、カウントアップする機能を有している。カウンタ36は、たとえば図示しない入力クロックの立ち上がりでカウントアップさせ、タイミング生成回路38にカウント値46を出力する。
【００２７】
タイミング生成回路38は、タイミング検出の条件を判定し、同期信号28を生成する信号生成機能および閾値選択信号42の選択機能を有している。信号生成機能は、カウンタ36がリセットされない状態、すなわちカウント値46が予測したタイミングに相当するカウント値以上になることから、相関ピークが検出されなかったと判断する。また、判断は予測したタイミングに相当するカウント値と供給されるカウント値46とを比較して行ってもよい。信号生成機能は、この判断に基づきショートプリアンブルからロングプリアンブルに切り替わったと判断し、同期信号28を出力する。選択機能は、供給される相関ピークの検出信号44をカウントし、このカウント値に基づき出力する閾値選択信号42を選ぶ。すなわち、閾値選択信号42は、カウント値ゼロとカウント値１〜10とでそれぞれ、閾値SA, SBを選ぶようにピーク検出回路32に供給される。
【００２８】
図２に戻って、ガードインターバル除去回路16は、供給されるシンボルタイミング同期信号28に応じて受信パケット信号26に含まれているガードインターバル（Guard Interval: GI）を取り除く機能を有している。ガードインターバル除去回路16は、GIを取り除いた受信パケット信号48をFFT回路18に出力する。
【００２９】
FFT回路18は、時間領域の情報を周波数領域の情報に変換する機能を有している。この機能により、FFT回路18は、供給される受信パケット信号46から多重搬送波（マルチキャリア）50を一括して生成し、復調回路20に出力する。
【００３０】
復調回路20は、供給される多重搬送波50を基にチャネル推定、チャネル等化、位相トラッキングおよび副搬送波（サブキャリア）復調を順次行う機能を有している。チャネル推定機能は、マルチパス環境下の伝播路で歪んだ各副搬送波信号の位相および振幅を推定している。チャネル等化機能は、推定した伝播路歪を用いて等化し、位相トラッキング機能に出力する。位相トラッキング機能は、時間とともに回転する定常位相を正確に検出し、補正している。副搬送波復調機能は、位相補正された信号から副搬送波をそれぞれ復調する機能を有する。復調回路20は、得られた各副搬送波52をデコード部22に出力する。
【００３１】
デコード部22は、受信した信号の位相および振幅に応じて中間の値を用いて、Ｉチャネル、Ｑチャネル毎に信号成分を判定し、受信データの並びを元に戻して、たとえばビタビアルゴリズムを用いて、誤り訂正符号を復号する機能を有する。復号された信号は、受信データ54として上位のレイヤに渡される。
【００３２】
次にOFDM復調装置10におけるシンボルタイミング同期検出回路14の動作について説明する。複素演算回路30には、複素ベースバンド信号の受信パケット信号26が供給される。受信パケット信号26は、図3(a)に示すように、プリアンブルがショートプリアンブル60およびロングプリアンブル62を有し、この後にデータ領域64が続いている。ショートプリアンブル60は、10個のショートシンボルS1〜S10を含むが、図3(a)では最後の３つ、S8, S9およびS10を表している。受信パケット信号26は、本来、ロングプリアンブル62の先頭にGIを設けているが、図3(a)ではGIを省略し、２個のロングシンボルL1およびL2だけを表示している。また、データ領域64も先頭にGI、SIGNAL領域およびGIを省略している。SIGNAL領域は、データ領域の伝送速度およびデータ量等を示すフィールドである。
【００３３】
複素演算回路30は、受信パケット信号26とあらかじめ記憶されたショートプリアンブルパターン信号とを基に複素相関を演算し、ピーク検出回路32に逐次算出した相関値40を出力する。複素演算回路30の演算結果は、たとえば図3(b)のように得られたとする。
【００３４】
ピーク検出回路32には、閾値SA, SBが設けられて、供給される閾値選択信号42に応じて２つの内、いずれかが設定される。ピーク検出回路32は、供給される相関値40と設定された閾値とを比較し、閾値以上の相関値40が供給されたとき、相関ピークの検出信号44をカウンタ36に出力する。
【００３５】
カウンタ36は、相関ピークの検出信号44の供給にともないゼロにリセットされ、この後に入力されるクロックに応じてカウントアップする。カウンタ36は、カウント値46をタイミング生成回路38に出力する。
【００３６】
ここで、伝播路の状態を良好と仮定した場合、ピーク検出回路32は、ショートプリアンブルにおけるシンボルの繰返し周期に対応して相関ピークを検出することになる。これは、一度相関ピークが検出されると、シンボルの長さがフォーマットで規定され、周期的に供給されるから、次の相関ピークの検出されるタイミングが予測できることを意味している。タイミング生成回路38は、これを利用して、タイミングを生成する出力条件と比較してシンボルタイミング同期信号28を出力させる。本実施例のタイミング生成回路38は、相関ピーク検出を受けて、カウンタ36のカウント値がゼロにならず、カウント値が依然として増加し続けることに基づき一つ前の相関ピークでショートプリアンブル60からロングプリアンブル62に切り替わったと判断し、シンボルタイミング同期信号28を出力する。
【００３７】
また、タイミング生成回路38は、図示しないピークカウンタを備えている。ピークカウンタは、ピーク検出回路32からの供給される検出信号44をカウントし、シンボルタイミング同期信号28の出力に応じてリセットする。タイミング生成回路38は、図示しない信号生成機能部を有し、カウントした値に応じて閾値選択信号42を生成する。さらに詳述すると、信号生成機能部は、受信開始時での相関ピークの未検出から最初の相関ピーク検出まで、すなわちピークカウント0のとき閾値SA、ピークカウント1〜10の予測したタイミングとさらに一回の予測タイミングに相当する期間を閾値SBおよびこれ以外のピークカウントするタイミングでは閾値SAを選択するように閾値選択信号42を生成する。これは、相関ピークの検出を最初により厳しい条件でチェックし、一度検出されたならば、先の閾値SAによるチェックを信頼して、予測範囲内では低い閾値SBで相関ピークを検出し、検出し易さに重点をおいていることに相当する。
【００３８】
図3(b)の場合、ピーク検出回路36は、閾値選択信号42から閾値SAの選択を受けて時刻T1で最初の相関ピークを検出する。これ以降の時刻T2〜T4まで、閾値選択信号42から閾値SBの選択を受ける。これにより、タイミング生成回路38は、時刻T2以降の時刻T3で相関ピークが検出されたので、この場合、時刻T2は切替タイミングでないと判断する。時刻T3以降から時刻T4までの間には、相関ピークが検出されないから、カウント値は増加状態を示す。これにより、タイミング生成回路38は、時刻T3を同期タイミングと判断して、シンボルタイミング同期信号28を出力する。
【００３９】
この動作からわかるように、受信した無線パケット信号26を一度受信すると、シンボルタイミング同期検出回路14は、確実にシンボルタイミング同期を検出することができる。この同期検出以降、シンボルタイミング同期検出回路14は、検出したシンボルタイミングで同期がとれることから、ただ同期タイミングを各部に提供すればよい。
【００４０】
これに対して、図3(c)では、これまでと同様に閾値SAだけで切替タイミングを判断している。この場合、時刻T2で相関ピークが検出されたことにより、時刻T1が同期タイミングでないことがわかる。ところで、伝播路の状態によりショートプリアンブル62の第10シンボルに対する相関値が他のシンボルに比べて低い場合、時刻T3で相関ピークを検出できない。これは、ピーク検出漏れを示す。このため、タイミング生成回路38は、時刻T2が同期タイミングと誤って判定し、誤同期検出してしまう。
【００４１】
ここで、本実施例を適用すれば、時刻T3における相関値は、閾値SBよりも大きいから、相関ピークを正しく検出することができる。このようにシンボルタイミング検出回路14は、多少伝播路の状態が悪化して、相関値が低下しても、ピーク検出回路32にて相関ピークを高い確度で検出して、正しくシンボルタイミング同期を確立することができる。
【００４２】
このように動作させることにより、相関ピークの検出漏れによるシンボルタイミング同期の誤検出を削減し、この結果、シンボルタイミング同期検出の精度を向上させることができる。
【００４３】
以上のように構成することにより、OFDM復調装置10のシンボルタイミング同期検出回路14は、相関演算回路30で受信した無線パケット信号26に対する相関値40を算出して、この算出された相関値40と使用する閾値とをピーク検出回路32で比較し、この閾値以上の相関値に応じて相関ピークの検出とし、検出信号44をシンボル同期処理回路34に送る。シンボル同期処理回路34は、最初のピーク検出以降を所定の予測期間とこれ以外の期間とで使用する一つの閾値を異ならせるようにピーク検出回路32の閾値を設定し、所定の予測期間以外では厳しい条件に設定した閾値と相関値とを比較して、最初のピークを検出し、この検出に応じて次のピーク検出タイミングを予測し、この予測されるタイミングまでの所定の期間では閾値の設定を異ならせて、検出される相関ピークを検出し易くピーク漏れをなくしながら、予測タイミングで相関ピークがないことで同期検出位置と判定し、同期検出信号を出力し、ピーク誤検出をなくすことによりシンボルタイミング同期検出の精度を向上させることができる。
【００４４】
シンボル同期処理回路34は、所定の予測期間以外である最初のピーク検出に使用する閾値を所定の予測期間の閾値より大きい値に設定することで、最初のピーク検出を高い相関性を要求して厳密な条件でのピーク検出とし、所定の予測期間、すなわちショートプリアンブル60におけるシンボル期間でのピーク検出の漏れをなくすことができる。
【００４５】
また、シンボル同期処理回路34は、カウンタ36およびタイミング生成回路38を含み、カウンタ36は相関ピークの検出に応じてカウントをリセットし、このリセット以降カウントアップし、タイミング生成回路38はカウンタ36からのカウント値が予測したタイミングで増加するか否かに応じて同期検出位置を判断して、同期検出信号を出力し、供給される相関ピークの回数に応じて所定の予測期間および所定の予測期間以外のいずれかを判断して、この判断結果に対応する閾値に設定する。これにより、相関ピークを検出し易い条件にしながら、予測した位置でのカウント値が継続して増加することから、相関ピークが検出できないことを意味する状況と判断して、一つ前のピーク位置を同期検出位置として出力し、確実な同期検出を提供することができる。
【００４６】
複数の閾値は、ピーク検出回路32およびシンボル同期処理回路38のいずれかに設け、シンボル同期処理回路38は、閾値の配設に応じてそれぞれ、選択信号および供給信号のいずれかをピーク検出回路32に出力することが好ましい。
【００４７】
本発明の同期検出方法によれば、複素ベースバンド信号の相関値を求め、閾値SAとの比較で、最初のピークを検出し、この検出に応じて到来するタイミングを予測し、閾値SBで同期検出し、計測の継続で同期検出として同期検出信号を出力し、これ以外で閾値SAに設定することにより、最初のピークの検出後、相関ピークが検出し易くして、ピーク漏れをなくし、これによりピーク誤検出をなくすことができる。閾値SAは、閾値SBより大きく設定することが好ましい。
【図面の簡単な説明】
【００４８】
【図１】本発明の同期検出装置を適用した実施例におけるOFDM復調装置のシンボルタイミング同期検出回路の概略的な構成を示すブロック図である。
【図２】図１のシンボルタイミング同期検出回路を搭載したOFDM復調装置の概略的な構成を示すブロック図である。
【図３】図２のシンボルタイミング同期検出回路における相関ピーク検出に基づくシンボルタイミング同期検出を説明するタイミングチャートである。
【符号の説明】
【００４９】
10  OFDM復調装置
14  シンボルタイミング同期検出回路
30  相関演算回路
32  ピーク検出回路
34  シンボル同期処理回路
36  カウンタ
38  タイミング生成回路
【図１】
2005303691.tif 000003
【図２】
2005303691.tif 000004
【図３】
2005303691.tif 000005